(57)【特許請求の範囲】
【請求項１】
一つの太陽電池セルに連結される複数の第１インターコネクションリボン、
もう一つの太陽電池セルに連結される複数の第２インターコネクションリボン、及び
前記第１インターコネクションリボンと第２インターコネクションリボンとが連結されるバスリボン、を含み、
前記バスリボンは、複数の第１インターコネクションリボンが連結されるものであって、一端に、一つの第１インターコネクションリボンが連結される第１接続部、他端に、もう一つの第１インターコネクションリボンが連結される第２接続部、及びその中央にさらにもう一つの第１インターコネクションリボンが連結される第３接続部が形成される、第１リボン連結部、
複数の第２インターコネクションリボンが連結されるものであって、一端に、一つの第２インターコネクションリボンが連結される第４接続部、他端に、もう一つの第２インターコネクションリボンが連結される第５接続部、及びその中央にさらにもう一つの第２インターコネクションリボンが連結される第６接続部が形成される、第２リボン連結部、及び
前記第１及び第２リボン連結部のそれぞれ中央に連結され、前記第１リボン連結部と第２リボン連結部とを連結するストリング連結部、を含み、
前記第１及び第２リボン連結部は、同じ構造で形成され、
前記第１インターコネクションリボンと第２インターコネクションリボンは、それぞれ、３つから構成されることを特徴とする太陽電池モジュール用リボン。
【請求項２】
前記第１接続部、第２接続部及び第３接続部は、前記各第１インターコネクションリボンと接触する位置での幅が最も広くなるように漸次拡張されていることを特徴とする請求項１に記載の太陽電池モジュール用リボン。
【請求項３】
前記第４接続部、第５接続部及び第６接続部は、前記各第２インターコネクションリボンと接触する位置での幅が最も広くなるように漸次拡張されていることを特徴とする請求項１に記載の太陽電池モジュール用リボン。
【発明の詳細な説明】
【技術分野】
【０００１】
本発明は、太陽電池セルを連結する太陽電池モジュール用リボンに関するものである。
【背景技術】
【０００２】
太陽電池は、太陽エネルギーを電気エネルギーに変換する役割を果たすものであって、半導体材料であるシリコン、ガリウムヒ素、カドミウムテルル、硫化カドミウム、インジウムリン、または、これらを複合した材料が用いられており、通常、主にシリコンが用いられる。
【０００３】
太陽電池は、半導体材料を拡散法によりｐ−ｎ接合して製造し、光を受けるとき少量の電流が流れる光電効果（ｐｈｏｔｏｖｏｌｔａｉｃ  ｅｆｆｅｃｔ）を用いたものであって、ほとんどの通常の太陽電池は、大面積のｐ−ｎ接合ダイオードからなり、ｐ−ｎ接合ダイオードの両極端に発生した起電力を外部回路に連結すると、単位太陽電池、太陽電池セルとして作用する。
【０００４】
このような太陽電池セルは、その起電力が小さいため、複数の太陽電池セルがバスにより連結されて適正な起電力を有する太陽電池モジュール（Ｐｈｏｔｏｖｏｌｔａｉｃ  Ｍｏｄｕｌｅ）を構成して用いる。
【０００５】
図１は、従来の太陽電池モジュールの平面図である。 
【０００６】
従来の太陽電池モジュールは、複数の太陽電池セル１１０が間隔をおいて配列され、一つの太陽電池セル１１０には、２つのインターコネクションリボン（Ｉｎｔｅｒｃｏｎｎｅｃｔｉｏｎ  Ｒｉｂｂｏｎ）１２０，１２２が連結される。そして、一つの太陽電池セル１１０のインターコネクションリボンと他の太陽電池セルのインターコネクションリボンとは、バスリボン１３０に連結される。また、バスリボン１３０は、電源を必要とする負荷（図示せず）と連結される。
【０００７】
このような太陽電池モジュールの電荷の流れは、太陽電池セル１１０に連結した２つのインターコネクションリボン１２０，１２２に流れるようになり、インターコネクションリボン１２０，１２２と直角に連結された直線のバスリボン１３０に移動する。
【０００８】
バスリボン１３０を実際のプロセスで形成するためには、バスリボン１３０を一定の長さに切断し、インターコネクションリボン１２０，１２２のストリング部分に半田付けで連結する。
【０００９】
しかし、このような構造のバスリボンは、バスリボンの幅だけインターコネクションリボンと接続し、その連結部位が直角に折れた状態であるため、インターコネクションリボンの位置によって抵抗が異なり、これにより、バスリボンとインターコネクションリボンとの間の連結部位で直列抵抗が増加する問題がある。
【００１０】
また、インターコネクションリボンとバスリボンとの接触面積小さいため接触抵抗が大きくなり、さらに直角に折れた面で電流が集中することによって抵抗が増加する問題が生ずる。
【発明の概要】
【発明が解決しようとする課題】
【００１１】
本発明は、バスリボンの構造を改善して、バスリボンとインターコネクションリボンとの連結部位の抵抗を低減し、直列抵抗による損失を最小化して、太陽電池の出力を向上し、光変換効率を向上することのできる太陽電池モジュール用リボンを提供する。  
【課題を解決するための手段】
【００１２】
上記のような目的を達成するために、本発明による太陽電池モジュール用リボンは、一つの太陽電池セルに連結される複数の第１インターコネクションリボン、前記太陽電池セルとは別の太陽電池セルに連結される複数の第２インターコネクションリボン、及び、第１インターコネクションリボンと第２インターコネクションリボンとが連結されるバスリボンを含み、前記バスリボンは、前記複数の第１インターコネクションリボンが連結される第１リボン連結部、前記複数の第２インターコネクションリボンが連結される第２リボン連結部、及び、前記第１リボン連結部と第２リボン連結部との間を連結するストリング連結部を含むことを特徴とする。
【００１３】
前記第１インターコネクションリボンと第２インターコネクションリボンは、それぞれ、２つのインターコネクションリボンから構成されることが好ましい。
【００１４】
前記第１リボン連結部は、その一端に、一方の第１インターコネクションリボンが連結される第１接続部が形成され、他端に、他方の第１インターコネクションリボンが連結される第２接続部が形成され、前記第１接続部と第２接続部は、第１リボン連結部の幅よりも広い幅を有することが好ましい。
【００１５】
前記第２リボン連結部には、その一端に、一方の第２インターコネクションリボンが連結される第３接続部が形成され、他端に、他方の第２インターコネクションリボンが連結される第４接続部が形成され、前記第３接続部と第４接続部は、第２リボン連結部の幅よりも広い幅を有することが好ましい。
【００１６】
前記ストリング連結部は、その両端に折曲部が形成され、一方の折曲部は、第１リボン連結部の中央に連結され、他方の折曲部は、第２リボン連結部の中央に連結されていることが好ましい。
【００１７】
前記折曲部は、曲面形状で形成される。
【００１８】
前記第１インターコネクションリボンと第２インターコネクションリボンは、それぞれ、３つのインターコネクションリボンから構成されることが好ましい。
【００１９】
前記第１リボン連結部は、その一端、他端およびその中央にそれぞれ、３つの前記第１インターコネクションリボンの各々が連結される第１接続部、第２接続部および第３接続部が形成され、前記第１接続部、第２接続部及び第３接続部は、第１リボン連結部の幅よりも広い幅を有するよう、第１リボン連結部の端部から面積が拡大されることが好ましい。
【００２０】
前記第２リボン連結部は、その一端、他端およびその中央にそれぞれ、３つの前記第２インターコネクションリボンの各々が連結される第４接続部、第５接続部および第６接続部が形成され、前記第４接続部、第５接続部及び第６接続部は、第２リボン連結部の幅よりも広い幅を有するよう、第２リボン連結部の端部から面積が拡大されることが好ましい。
【発明の効果】
【００２１】
本発明の太陽電池モジュール用リボンは、バスリボンが、複数の第１インターコネクションリボンが連結される第１リボン連結部と、前記複数の第２インターコネクションリボンが連結される第２リボン連結部と、前記第１リボン連結部と第２リボン連結部との間を連結するストリング連結部とから構成され、バスリボンとインターコネクションリボンとの連結部位の抵抗を低減し、直列抵抗による損失を最小化して、太陽電池の出力を向上し、光変換効率を向上することができる。
【図面の簡単な説明】
【００２２】
【図１】従来の技術による太陽電池モジュールを示す平面図である。
【図２】本発明の一実施例による太陽電池モジュールを示す平面図である。
【図３】本発明の他の実施例による太陽電池モジュールを示す平面図である。
【発明を実施するための形態】
【００２３】
以下、添付図面を参照しながら、本発明による実施例について詳細に説明する。この過程で、図面に示した構成要素の大きさ及び形状等は、説明の明瞭性及び便宜のため、誇張して示す場合もある。また、本発明の構成及び作用を考慮して、特別に定義された用語は、使用者及び運用者の意図または慣例によって異なる場合がある。これら用語の定義は、本明細書全体における内容を基にして行うべきである。
【００２４】
図２は、本発明の一実施例による太陽電池モジュールの平面図である。
【００２５】
図２に示されているように、一実施例による太陽電池モジュールは、一定の間隔をおいて配列される複数の太陽電池セル１０，１２と、太陽電池セル１０，１２に連結された複数のインターコネクションリボン２０，２２と、複数のインターコネクションリボン２０，２２が連結されるバスリボン３０とを含む。
【００２６】
インターコネクションリボン２０，２２は、一つの太陽電池セル１０に連結される第１インターコネクションリボン２０と、隣り合う太陽電池セル１２に連結される第２インターコネクションリボン２２とから構成される。
【００２７】
第１インターコネクションリボン２０は、２つのインターコネクションリボン２０ａ，２０ｂから構成され、第２インターコネクションリボン２２も２つのインターコネクションリボン２２ａ，２２ｂから構成される。
【００２８】
これらのインターコネクションリボン２０ａ，２０ｂ，２２ａ，２２ｂは、太陽電池セル１０，１２に連結され、太陽電池セル１０，１２の一方の側で延長し、バスリボン３０に連結される。
【００２９】
バスリボン３０は、第１インターコネクションリボン２０が連結される第１リボン連結部３２と、第２インターコネクションリボン２２が連結される第２リボン連結部３４と、第１リボン連結部３２と第２リボン連結部３４との間を連結するストリング連結部３６とを含む。
【００３０】
このようなバスリボン３０は、一体型で形成され、成型で製造することができ、金属板を切断して製造することができる。また、インターコネクションリボンとバスリボンは、半田付け等により互いに連結される。
【００３１】
第１リボン連結部３２と第２リボン連結部３４は、同一の構造で形成され、一定の長さ及び幅を有する金属板の形態で形成される。
【００３２】
第１リボン連結部３２の一端には、インターコネクションリボン２０ａが連結される第１接続部４０が形成され、第１リボン連結部３２の他方の一端（他端）には、インターコネクションリボン２０ｂが連結される第２接続部４２が形成される。
【００３３】
そして、同じ構造で、第２リボン連結部３４の一端には、インターコネクションリボン２２ａが連結される第３接続部４４が形成され、第２リボン連結部３４の他方の一端（他端）には、インターコネクションリボン２２ｂが連結される第４接続部４６が形成される。
【００３４】
これら接続部４０，４２，４４，４６は、インターコネクションリボンとの接触面積を広くして、広い領域で電荷が移動することができ、抵抗を最小化し、これによって、電圧降下の損失を少なくする。
【００３５】
つまり、各接続部は、リボン連結部３２，３４の幅よりも広い幅を有するように、リボン連結部の端部から幅が次第に拡大される形で形成される。また、接続部は、一定の傾斜角を有する形で幅を拡張して、直角に折れる部位を除去することが好ましい。
【００３６】
ストリング連結部３６は、その両側に折曲部３６ａ，３６ｂが形成され、一方の側の折曲部３６ａは、第１リボン連結部３２の中央に連結され、他方の側の折曲部３６ｂは、第２リボン連結部３４の中央に連結される。
【００３７】
このとき、好適にはストリング連結部３６の折曲される部位は曲面で処理して、抵抗による損失を最小化する。つまり、電荷の移動時、直角に折れる部分では、折れる内側面に電流の流れが集まることによって抵抗が増加するが、折れる部位を曲面の形で処理すると、抵抗による損失を最小化することができる。
【００３８】
また、リボン連結部３２，３４の中央にストリング連結部３６が連結されるため、電流の分布が均一になり、抵抗損失を最小化することができ、太陽電池の効率を向上させる。
【００３９】
図３は、本発明の他の実施例による太陽電池モジュールを示す平面図である。
【００４０】
他の実施例による太陽電池モジュールは、一つの太陽電池セルに３つのインターコネクションリボンが連結される構造である。
【００４１】
したがって、第１リボン連結部３２に連結される第１インターコネクションリボン５０は、３つのインターコネクションリボン５０ａ，５０ｂ，５０ｃから構成され、第２リボン連結部３４に連結される第２インターコネクションリボン５２も３つのインターコネクションリボン５２ａ，５２ｂ，５２ｃから構成される。
【００４２】
第１リボン連結部３２は、その一端に、一つのインターコネクションリボン５０ａが連結される第１接続部６０が形成され、他端に、別のインターコネクションリボン５０ｂが連結される第２接続部６２が形成され、その中央には、さらに別のインターコネクションリボン５０ｃが連結される第３接続部６４が形成される。
【００４３】
また、第２リボン連結部３４は、その一端に、一つのインターコネクションリボン５２ａが連結される第４接続部７０が形成され、他端に、別のインターコネクションリボン５２ｂが連結される第５接続部７２が形成され、その中央には、さらに別のインターコネクションリボン５２ｃが連結される第６接続部７４が形成される。
【００４４】
複数の連結部は、リボン連結部の幅よりも広い幅を有するように、リボン連結部の端部から面積が拡大されるように形成される。
【００４５】
以上、本発明による実施例について説明したが、これは例示的なものに過ぎず、当該分野における通常的な知識を有する者であれば、これから、様々な変形及び均等な範囲における実施例が可能であることを理解することができる。したがって、本発明の技術的保護範囲は、特許請求の範囲によって定められるべきである。
【図１】
0005411892.tif 000002
【図２】
0005411892.tif 000003
【図３】
0005411892.tif 000004